(57)【要約】【課題】かつらを自毛に固定でき且つ金属探知機に反応しないかつら用ストッパーピンを提供する。【解決手段】実用試験において、ピンのバネ性の評価は、試料１と試料６が「○」であった。また、それぞれ５個合計１０ｇを一括しての金属探知機に対する反応性の調査では、試料１〜試料５が「なし」、試料６が「あり」であった。つまりピンのバネ性と金属探知機に対する無反応性の評価で共に良かったのは試料１であった。試料１の化学成分のｍａｓｓ％は、Ｎが≦０．０５、Ｃが≦０．１０、Ｈが≦０．０１５、Ｆｅが≦１．００、Ｏが≦０．２５、Ａｌが３．５０〜４．５０、Ｖが２０．００〜２３．００、ＴｉがＢａｌである。【選択図】図４
2006045728.tif 000002
【特許請求の範囲】
【請求項１】
バネ板状部材からなり、ピンと一体にほぼ櫛状に形成された本体部と、該本体部を凸又は凹状に反り返らせるべく前記本体部の両端部に連結され前記ピンと離接可能に配設されたピン当接部と、を有するかつら用ストッパであって、
化学成分のｍａｓｓ％が、Ｎが≦０．０５、Ｃが≦０．１０、Ｈが≦０．０１５、Ｆｅが≦１．００、Ｏが≦０．２５、Ａｌが３．５０〜４．５０、Ｖが２０．００〜２３．００、ＴｉがＢａｌのチタン製であることを特徴とするかつら用ストッパ。
【請求項２】
５個合計の重量が１２ｇ（グラム）以下である、ことを特徴とする請求項１記載のかつら用ストッパ。
【発明の詳細な説明】
【技術分野】
【０００１】
本発明は、かつらを自毛に固定でき且つ金属探知機に反応しないかつら用ストッパに関する。
【背景技術】
【０００２】
従来、人の頭部に装着する様々なかつらがある。一般に、かつらは、装飾のため又は薄くなった頭髪を外見上増量して従前の状態に保つために用いられる。装飾のために用いられるかつらは頭部全体に被って、かつらの人工毛（人造または自然の毛髪を加工したもの）で自毛（本人の頭部に成育している自然の頭髪）全体を覆い隠すように用いるが、頭髪の増量のために用いられるかつらは、人工毛と自毛を渾然一体化させて自毛が増えたかの如くに見えるように形成されるものが多い。
【０００３】
上記装飾用、増毛用いずれの場合も、かつらを使用する場合はかつらを頭部に固定する必要がある。装飾のためのかつらの場合は自毛が十分あるので、ストッパ（又はストッパー）と呼ばれる止め具を用いてかつらを頭部に固定することができる。また頭髪の増量のためのかつらの場合であっても頭頂部を除いて周囲に十分自毛があるような場合は、上記同様にストッパを用いてかつらを頭部に固定することができる。（例えば、特許文献１参照。）
図６(a) は、従来かつらに使用されてきたストッパを示す図であり、同図(b) は、そのストッパを用いたかつらを裏側から見た図である。
【０００４】
同図(a) に示す従来のストッパ１は、鋼鉄製のバネ板部材から成り複数のピン２と一体に櫛状に形成される本体部３と、ピン２の先端が離接するピン当接部４と、上記本体部３の両端部を相互に引き寄せる方向に狭めてピン当接部４と連結させているハトメ５とから成っている。本体部３の両端部が相互に引き寄せる方向に狭められてピン当接部４と連結されているので、本体部３は図面奥行き方向手前又は向う側のいずれかに反り返る付勢力を有している。
【０００５】
他方、同図(b) に示すかつら６は、縁部７間に張り巡らされた線状態体８によって形成されたネット部９と、線状態体８に植設された人工毛１１と、上記の縁部７に取り付けられた４個のストッパ１を備えている。
【０００６】
かつら６を手にとって、本体部３を人手によって同図(a) の図面奥行き方向手前側に凸状に反らせると、ピン２の先端がピン当接部４から離れて、ピン当接部４との間に間隙を形成する。この間隙に自毛を挟み込み、上記とは反対方向に本体部３を反らすと、ピン２の先端がピン当接部４に当接して、自毛を咥え込み、自毛にストッパ１が固定される。すなわち同図(b) に示すかつら６が、ストッパ１によって頭部に固定される。
【特許文献１】特開平１０−０７７５１４号公報（［要約、図１、図２）
【発明の開示】
【発明が解決しようとする課題】
【０００７】
ところで、上記のストッパ１は、ピン２によるバネ性が良好であることから鋼鉄製の板部材で作成されたものが広く使用されている。
一方では、旅行などで長距離特急列車や飛行機に乗るときなどの搭乗口近傍、あるいは会社や家族の慰安旅行で行楽地の大型施設に入場するときなどの入場口近傍に、近年、急速に拡大するテロ対策のための金属探知機が常設されるようになっている。
【０００８】
ところが、上記の鋼鉄製の板部材製から成るストッパ１を備えたかつらを着用していると、金属探知機に引っ掛かるということがしばしば発生するようになってきた。
慣れていれば、かつらのストッパが原因であると直ちに判明するが、慣れていないと原因究明に手数と時間が掛かり、自他ともに大変迷惑することになる。
【０００９】
また、かつらを着用していることを公言する人はめったに居ないものであり、それだけかつらを着用していることを他人の目から隠すことは常識のようなものであるから、金属探知機に引っ掛って、かつらの着用が露見すると、かつらを着用していた本人は非常に不快な思いをすることになる。
【００１０】
本発明の課題は、上記従来の実情に鑑み、かつらを自毛に固定でき且つ金属探知機に反応しないかつら用ストッパーピンを提供することである。
【課題を解決するための手段】
【００１１】
本発明のかつら用ストッパは、バネ板状部材からなり、ピンと一体にほぼ櫛状に形成された本体部と、該本体部を凸又は凹状に反り返らせるべく前記本体部の両端部に連結され前記ピンと離接可能に配設されたピン当接部と、を有するかつら用ストッパであって、化学成分のｍａｓｓ％が、Ｎが≦０．０５、Ｃが≦０．１０、Ｈが≦０．０１５、Ｆｅが≦１．００、Ｏが≦０．２５、Ａｌが３．５０〜４．５０、Ｖが２０．００〜２３．００、ＴｉがＢａｌのチタン製で構成される。
【００１２】
そして、このかつら用ストッパは、５個合計の重量がおよそ１２ｇ（グラム）以下であることが好ましい。
【発明の効果】
【００１３】
本発明によれば、かつら用ストッパとして、化学成分が適度のｍａｓｓ％から成るチタン製で、５個合計の重量が１０ｇ以下になるようなストッパを用いるので、金属探知機を通過しても反応せず、従って監視人や警護人にかつらの着用を提示する必要がなく、これにより、かつらを着用しても不快な思いをすることがないので便利である。
【発明を実施するための最良の形態】
【００１４】
以下、本発明の実施の形態を図面を参照しながら説明する。
【実施例１】
【００１５】
図１は、一実施の形態におけるかつら用ストッパと、そのかつら用ストッパを複数取り付けたかつらの縁を示す図である。尚、同図には人工毛や、その人工毛を植設する編地又は線状部材等の図示を省略しているが概念的にかつらを示したものである。また、同図に示すかつらの縁１２は、図３(b) に示したかつら６の縁７と形状はやや異なるが、ほぼ同様の機能を有するものである。
【００１６】
図１に示すように、本例では、かつらの縁１２には、本発明になるかつら用ストッパ１３が適宜の間隔で４個取り付けられている。
図２(a) は、上記かつら用ストッパ１３の平面図であり、同図(b) はその側面図、同図(c) は、同図(a) を矢印ａ方向から見た図である。尚、同図(a),(b),(c) は、いずれも同一の状態のときのかつら用ストッパ１３を異なる方角から見ているものである。また、同図(c) は、下面が頭部に当接する面である。
【００１７】
同図(a),(b),(c) に示すかつら用ストッパ１３は、バネ板状部材からなり、ピン１４と一体にほぼ櫛状に形成された本体部１５と、この本体部１５を凸又は凹状に反り返らせるべく本体部１５の両端部にハトメ１６により固定・連結されたピン当接部１７を備えている。また、ピン当接部１７のピン１４と相対的に離接する部分には、樹脂製の熱収縮チューブ１８によって被覆が施されている。
【００１８】
同図(c) に示すように本体部１５及びピン当接部１７が上に凹状となったとき、ピン１４とピン当接部１７とが相対的に離れ、このとき、自毛内にピン１４を挿通することが出来るようになる。
【００１９】
そして、同図(c) の両方向矢印ｂで示すように、本体部１５及びピン当接部１７を上に凸状に反転させると、ピン１４とピン当接部１７とが相対的に圧接する。
上記のピン１４は、同図(c) に示すように、その先端部１４−１が、かつら装着時において頭皮から離れる方向に曲がって形成されている（同図(b) も参照）。
【００２０】
これにより、このかつら用ストッパ１３を備えたかつら（図１参照）を頭部へ固定する操作時に、ピン１４の先端（先端部１４−１の先端）が頭部の地肌に突き刺さるように当たることが皆無であり、したがって、頭部への固定操作時に感触的な不快感を与えることがなく、常に快適にかつらを使用することがでる。
【００２１】
また、更に、ピン１４には、本体部１５との付け根から先端部までの間に、他のピン１４との並設方向（図２(a) において左右方向）の側部に、少なくとも１つ以上の凸状部１４−２が形成されている。
【００２２】
これにより、各ピン１４の他のピン１４との並設方向の側部には少なくとも１つ以上の凹凸が形成され、この凹凸形状のピン１４の側部により、かつら用ストッパ１３で咥え込んだ自毛がかつら用ストッパ１３から容易に逃げ出すことがない。したがって、かつらの頭部への常に安定した固定状態を維持することができる。
【００２３】
図３は、本実施の形態におけるかつら用ストッパの寸法比の一例を示す図である。同図に示すように、かつら用ストッパの長手方向の寸法をａ、短手方向の一方の端部寸法をｂ、他方の端部寸法をｃ、としたとき、本例では、ａ：ｂ：ｃ＝３８：１３：１２の寸法比となるように、かつら用ストッパは作製されている。
【００２４】
ここで、本例のかつら用ストッパの素材について説明する。
図４は、本例のかつら用ストッパの素材決定に当たって行われた試験に用いられた各種素材の一覧を示す図表である。本試験に当たっては同図に示す試料１〜試料６までの素材を用いてかつら用ストッパを試作することにした。
【００２５】
尚、同図表には、左欄から試料番号、メーカー名、製品名、科学成分（ｍａｓｓ％）を示しており、試料１〜試料５まではチタン合金の板部材、試料６は本試験の比較試料としてのものであって従来からかつら用ストッパに用いられている鋼鉄板部材である。
【００２６】
また、かつら用ストッパの上記素材を用いる部分は、図２(a),(b),(c) に示すハトメ１６と熱収縮チューブ１８を除いた部分である。これは、以下に述べる重量についても同様である。
【００２７】
これらの素材を用いて、それぞれ５個のかつら用ストッパを作成した。このように試作品をそれぞれ５個とした理由は、図１及び図６に示すように、一般にかつらに用いられるストッパは４個であり、したがって１個（かつらに使用されるストッパ全体の２０％）を余分に見積もれば、特に金属探知機に対する作成誤差及び試験誤差を十分に吸収できるとの考えに基づくものである。
【００２８】
図５は、上記それぞれ５個のかつら用ストッパの試作品における実用試験において、ピンのバネ性及び金属探知機に対する反応性を調べた結果の評価を示す図表である。この試験において、金属探知機に対する反応性の調査では、各試料それぞれを、５個一括して金属探知機で調べてみた。また、５個合計の重量はそれぞれ１０ｇ（グラム）である。
【００２９】
同図に示すように、試料１は、ピンのバネ性は「○」、金属探知機に対する反応性は「なし」である。これに対して試料２〜試料５は、金属探知機に対する反応性は「なし」であったが、残念なことに、ピンのバネ性は「×」であった。そして、比較試料としての試料６は、予想通りピンのバネ性は「○」であったが、金属探知機に対する反応性が「あり」であった。
【００３０】
上記の結果を総括すると、試料１が、この試験において探し求められていた素材ということになる。そこで、試料１の組成を図４に戻って調べてみると、化学成分のｍａｓｓ％が、Ｎが≦０．０５、Ｃが≦０．１０、Ｈが≦０．０１５、Ｆｅが≦１．００、Ｏが≦０．２５、Ａｌが３．５０〜４．５０、Ｖが２０．００〜２３．００、ＴｉがＢａｌのチタン製であることが判明した。
【００３１】
したがって、上記の組成の素材を用いてかつら用ストッパを作成し、かつらへの取り付け数を５個以内にすれば、金属探知機に無反応なかつらを作成することができることになる。
【００３２】
前述したように、かつらへのストッパ取り付け数は通常は４個であるので、金属探知機に対する無反応性を十分に保証することができる。また、同様にかつらへのストッパ取り付け数は通常は４個であるので、５個合計の重量を製作誤差として２０％余分に見積もって１２ｇとしても、金属探知機に対する無反応性を十分に確保できるということができる。
【００３３】
尚、かつら用ストッパを上記実施形態のチタン製とする効用は、図１乃至図３に示した形状のかつら用ストッパに限ることなく、例えば図６(a),(b) に示した従来の形状のかつら用ストッパにも適用できることは言うまでもない。
【図面の簡単な説明】
【００３４】
【図１】一実施の形態におけるかつら用ストッパとそのかつら用ストッパを複数取り付けたかつらの縁を示す図である。
【図２】(a) は一実施の形態におけるかつら用ストッパの平面図、(b) はその側面図、(c) は(a) を矢印ａ方向から見た図である。
【図３】一実施の形態におけるかつら用ストッパの寸法比の一例を示す図である。
【図４】一実施の形態におけるかつら用ストッパの素材決定に当たって行われた試験に用いられた各種素材の一覧を示す図表である。
【図５】それぞれ５個のかつら用ストッパの試作品における実用試験においてピンのバネ性及び金属探知機に対する反応性を調べた結果の評価を示す図表である。
【図６】(a) はかつらに使用されてきた従来のストッパを示す図、(b) はそのストッパを用いたかつらを裏側から見た図である。
【符号の説明】
【００３５】
１      ストッパ
２      ピン
３      本体部
４      ピン当接部
５      ハトメ
６      かつら
７      縁部
８      線状態体
９      ネット部
１１    人工毛
１２    かつらの縁
１３    かつら用ストッパ
１４    ピン
１４−１  先端部
１４−２  凸状部
１５    本体部
１６    ハトメ
１７    ピン当接部
１８    熱収縮チューブ
【図１】
2006045728.tif 000003
【図２】
2006045728.tif 000004
【図３】
2006045728.tif 000005
【図４】
2006045728.tif 000006
【図５】
2006045728.tif 000007
【図６】
2006045728.tif 000008